(57)【要約】【課題】パッドから取り外して洗濯し、再利用できる帯部材、および当該帯部材を備えたおむつを提供する。【解決手段】おむつ１は、着用者の股間に宛がわれるパッド１０と、着用者の腰周りに支持される帯部材２０と、を備えている。帯部材２０は、パッド１０に対して、着脱可能となっている。このため、おむつ１の使用後には、パッド１０と帯部材２０とを分離して、パッド１０のみを廃棄できる。また、帯部材２０の帯状シート２１，２２は、洗濯可能な織布により構成されている。このため、帯部材２０を洗濯し、洗濯後の帯部材２０に、新たなパッド１０を取り付けて、着用できる。【選択図】図４
2011172793.tif 000002
【特許請求の範囲】
【請求項１】
着用者の体液を吸収するおむつであって、
吸収体を有し、着用者の股間に宛がわれるパッドと、
着用者の腰周りに支持される帯部材と、
を備え、
前記帯部材は、織布により構成され、前記パッドに対して着脱可能であるおむつ。
【請求項２】
請求項１に記載のおむつであって、
前記帯部材は、着用者の右腰部に宛がわれる部位と、着用者の左腰部に宛がわれる部位と、を含む一体の部材であるおむつ。
【請求項３】
請求項１に記載のおむつであって、
前記帯部材は、
着用者の右腰部に宛がわれる右帯部材と、
前記右帯部材とは別体であり、着用者の左腰部に宛がわれる左帯部材と、
を有するおむつ。
【請求項４】
請求項１から請求項３までのいずれかに記載のおむつであって、
前記パッドは、
着用者の腹面に宛がわれる前身頃部と、
着用者の尻面に宛がわれる後身頃部と、
前記前身頃部および前記後身頃部を繋ぐ股部と、
を有し、
前記帯部材は、
前記前身頃部に着脱可能に止着される前止着部と、
前記後身頃部に着脱可能に止着される後止着部と、
を有するおむつ。
【請求項５】
請求項４に記載のおむつであって、
前記帯部材は、
着用者の腰周りに沿う方向に伸縮する弾性部材が設けられた伸縮領域と、
前記弾性部材が設けられていない非伸縮領域と、
を有し、
前記後止着部は、前記非伸縮領域に設けられているおむつ。
【請求項６】
請求項４または請求項５に記載のおむつであって、
前記帯部材は、前記後身頃部の外側において、股下側へ台形状に突出する凸部を有するおむつ。
【請求項７】
請求項４から請求項６までのいずれかに記載のおむつであって、
前記前身頃部の外側面に、前記前止着部に対する止着力が他の部位より高い前被止着部が設けられており、
前記後身頃部の外側面に、前記後止着部に対する止着力が他の部位より高い後被止着部が設けられているおむつ。
【請求項８】
着用者の股間に宛われて着用者の体液を吸収するパッドを、着用者に固定する帯部材であって、
織布により構成され、前記パッドに対して着脱可能である帯部材。
【発明の詳細な説明】
【技術分野】
【０００１】
本発明は、着用者の体液を吸収するおむつ、および、着用者の体液を吸収するパッドを着用者に固定する帯部材に関する。
【背景技術】
【０００２】
従来、着用者から排泄される尿等の体液を吸収するおむつが知られている。従来のおむつの例として、特許文献１には、吸収性本体とウエストバンドとを有する吸収性物品が、記載されている。特許文献１のウエストバンドは、着用者の腰周りの全周を囲むような環状をなし、吸収性本体と着脱可能な接合手段により接合されている。
【先行技術文献】
【特許文献】
【０００３】
【特許文献１】特開２０００−５１２７３号公報
【発明の概要】
【発明が解決しようとする課題】
【０００４】
しかしながら、特許文献１では、ウエストバンドを形成するためのウエストシートに、不織布が用いられている（段落００２０参照）。不織布は、一般に、洗濯に対する耐性が低く、仮に洗濯をすると、毛羽立ちや破れが生じやすい。このため、特許文献１の吸収性物品では、吸収性本体からウエストバンドを分離したとしても、ウエストバンドを洗濯して再利用することは、困難であったと考えられる。
【０００５】
そこで、本発明は、パッドから取り外して洗濯し、再利用できる帯部材、および当該帯部材を備えたおむつを提供することを目的とする。
【課題を解決するための手段】
【０００６】
本願の第１発明は、着用者の体液を吸収するおむつであって、吸収体を有し、着用者の股間に宛がわれるパッドと、着用者の腰周りに支持される帯部材と、を備え、前記帯部材は、織布により構成され、前記パッドに対して着脱可能である。
【０００７】
本願の第２発明は、第１発明のおむつであって、前記帯部材は、着用者の右腰部に宛がわれる部位と、着用者の左腰部に宛がわれる部位と、を含む一体の部材である。
【０００８】
本願の第３発明は、第１発明のおむつであって、前記帯部材は、着用者の右腰部に宛がわれる右帯部材と、前記右帯部材とは別体であり、着用者の左腰部に宛がわれる左帯部材と、を有する。
【０００９】
本願の第４発明は、第１発明から第３発明までのいずれかのおむつであって、前記パッドは、着用者の腹面に宛がわれる前身頃部と、着用者の尻面に宛がわれる後身頃部と、前記前身頃部および前記後身頃部を繋ぐ股部と、を有し、前記帯部材は、前記前身頃部に着脱可能に止着される前止着部と、前記後身頃部に着脱可能に止着される後止着部と、を有する。
【００１０】
本願の第５発明は、第４発明のおむつであって、前記帯部材は、着用者の腰周りに沿う方向に伸縮する弾性部材が設けられた伸縮領域と、前記弾性部材が設けられていない非伸縮領域と、を有し、前記後止着部は、前記非伸縮領域に設けられている。
【００１１】
本願の第６発明は、第４発明または第５発明のおむつであって、前記帯部材は、前記後身頃部の外側において、股下側へ台形状に突出する凸部を有する。
【００１２】
本願の第７発明は、第４発明から第６発明までのいずれかのおむつであって、前記前身頃部の外側面に、前記前止着部に対する止着力が他の部位より高い前被止着部が設けられており、前記後身頃部の外側面に、前記後止着部に対する止着力が他の部位より高い後被止着部が設けられている。
【００１３】
本願の第８発明は、着用者の股間に宛われて着用者の体液を吸収するパッドを、着用者に固定する帯部材であって、織布により構成され、前記パッドに対して着脱可能である。
【発明の効果】
【００１４】
本願の第１発明〜第８発明によれば、パッドから帯部材を取り外して洗濯し、帯部材を再利用できる。
【００１５】
特に、本願の第２発明によれば、帯部材を、一体の部材として容易に製造できる。
【００１６】
特に、本願の第３発明によれば、帯部材を、全体として狭小化できる。このため、帯部材に使用される織布の量を、抑制できる。
【００１７】
特に、本願の第４発明によれば、帯部材を、パッドの前後においてしっかりと固定できる。
【００１８】
特に、本願の第５発明によれば、弾性部材の収縮力により、着用者の腰周りに帯部材が良好にフィットする。また、後止着部に弾性部材の収縮力が作用しないため、後身頃部に対して後止着部を良好に着脱できる。
【００１９】
特に、本願の第６発明によれば、凸部により、着用者の尻面のより広い領域を被覆できる。また、おむつの形状がパンツに近づくため、外観上の違和感も低減できる。
【００２０】
特に、本願の第７発明によれば、前身頃部に前止着部をより強固に止着できるとともに、後身頃部に後止着部をより強固に止着できる。
【図面の簡単な説明】
【００２１】
【図１】おむつを、展開した状態で肌側から見た平面図である。
【図２】おむつを、展開した状態で外側から見た平面図である。
【図３】おむつを、図１中のIII−III位置から見た断面図である。
【図４】後被止着部から後止着部を部分的に剥がした様子を示す図である。
【図５】前被止着部に前止着部を止着するときの様子を示す図である。
【図６】変形例に係るおむつを、展開した状態で外側から見た平面図である。
【図７】変形例に係るおむつを、展開した状態で外側から見た平面図である。
【図８】変形例において、後止着部を部分的に剥がした様子を示す図である。
【図９】変形例において、帯部材の端部同士を止着する様子を示す図である。
【発明を実施するための形態】
【００２２】
以下、本発明の好適な実施形態について、図面を参照しつつ説明する。
【００２３】
＜１．一実施形態に係るおむつ＞
図１は、本発明の一実施形態に係るおむつ１を、展開した状態で肌側から見た平面図である。図２は、おむつ１を、展開した状態で外側から見た平面図である。図３は、おむつ１を、図１中のIII−III位置から見た断面図である。図１〜図３に示すように、おむつ１は、着用者の股間に宛がわれるパッド１０と、着用者の腰周りに支持される帯部材２０と、を備えている。
【００２４】
パッド１０は、肌側に配置された液透過性のトップシート１１と、外側に配置された液不透過性のバックシート１２と、両シート１１，１２の間に介在する吸収体１３と、を有している。おむつ１の着用者から排泄された尿は、トップシート１１を通過するが、バックシート１２より外側へは浸透せず、トップシート１１とバックシート１２との間において、吸収体１３に吸収保持される。
【００２５】
トップシート１１は、例えば、疎水性繊維（ポリプロピレン、ポリエチレン、ポリエステル、ポリアミド、ナイロン等）の表面を界面活性剤により処理して液透過性とした不織布により、構成される。なお、トップシート１１は、親水性繊維（セルロース、レーヨン、コットン等）を用いた不織布により、構成されていてもよい。
【００２６】
バックシート１２は、例えば、プラスチックフィルムにより、構成される。なお、バックシート１２は、プラスチックフィルムとその外側面に貼着された柔軟性の高い不織布とにより、構成されていてもよい。また、バックシート１２は、疎水性繊維（ポリプロピレン、ポリエチレン、ポリエステル、ポリアミド、ナイロン等）を用いた撥水性の不織布により、構成されていてもよい。
【００２７】
吸収体１３は、トップシート１１とバックシート１２との間に、接着剤（図示省略）で固定されている。吸収体１３は、例えば、粉砕したパルプ繊維やセルロース繊維などの親水性繊維と、粒状の高吸収性ポリマー（Superabsorbent Polymer：ＳＡＰ）とを混合した塊を、ティッシュペーパーなどの紙シートまたは透液性不織布シートで被覆したものである。なお、吸収体１３は、高吸収性ポリマーのみをシート状に成形したものであってもよい。
【００２８】
パッド１０は、着用者の腹面に宛がわれる前身頃部１０ａと、着用者の尻面に宛がわれる後身頃部１０ｂと、前身頃部１０ａおよび後身頃部１０ｂを繋ぐ股部１０ｃと、を有している。以下では、前身頃部１０ａ、股部１０ｃ、および後身頃部１０ｂが連なる方向を、「長手方向」と称する。また、長手方向に直交し、かつパッド１０の表面に沿う方向を、「幅方向」と称する。パッド１０は、前身頃部１０ａから後身頃部１０ｂにかけて長手方向に延び、その中間に位置する股部１０ｃにおいて、幅方向にくびれた形状となっている。
【００２９】
前身頃部１０ａの外側面には、前被止着部１４が設けられている。前被止着部１４は、後述する帯部材２０の前止着部２４が、着脱可能に止着する部位となる。また、後身頃部１０ｂの外側面には、後被止着部１５が設けられている。後被止着部１５は、後述する帯部材２０の後止着部２３が、着脱可能に止着する部位となる。前被止着部１４および後被止着部１５は、例えば、面ファスナーのループ材で構成され、バックシート１２の外側面に、接着剤（図示省略）で接合されている。
【００３０】
帯部材２０は、着用者の股間にパッド１０を固定的に宛がうために、着用者の腰部に装着される部材である。図３に示すように、帯部材２０は、幅方向に延びる２枚の帯状シート２１，２２を有している。帯状シート２１，２２は、肌側と外側とに重ねられ、耐水性の接着剤または縫合により、互いに接合されている。
【００３１】
帯部材２０の幅方向中央付近の肌側面には、後止着部２３が設けられている。後止着部２３は、パッド１０の後被止着部１５に、着脱自在に止着する。後止着部２３は、例えば、面ファスナーのフック材で構成され、帯状シート２１の肌側面に、耐水性の接着剤または縫合により、接合されている。おむつ１を使用するときには、後被止着部１５に後止着部２３を止着することにより、パッド１０と帯部材２０とが、一体化される。また、図４のように、使用後には、後被止着部１５から後止着部２３を剥がして、パッド１０と帯部材２０とを分離できる。
【００３２】
帯部材２０の幅方向の両端部には、それぞれ、幅方向外側へ張り出した２つの舌片状のつまみ部２０ａが、形成されている。各つまみ部２０ａの肌側面には、前止着部２４が、設けられている。前止着部２４は、パッド１０の前被止着部１４に、着脱自在に止着する。前止着部２４は、例えば、面ファスナーのフック材で構成され、帯状シート２１の肌側面に、耐水性の接着剤または縫合により、接合されている。
【００３３】
図５は、前被止着部１４に前止着部２４を止着するときの様子を示した図である。おむつ１を着用するときには、予め、後被止着部１５に後止着部２３を止着させ、パッド１０と帯部材２０とを一体化させておく。次に、着用者の股間にパッド１０を宛がう。その後、帯部材２０の幅方向の両端部を、着用者の腰周りに沿って、着用者の腹側へ引き出す。そして、４つの前止着部２４を、パッド１０の前被止着部１４の任意の位置に、それぞれ付着させる。これにより、着用者の腰周りに帯部材２０が支持されるとともに、着用者の股間にパッド１０がしっかりと宛がわれる。
【００３４】
なお、前被止着部１４は、４つの前止着部２４の合計面積よりも、広い止着面を有する。このため、着用者は、４つの前止着部２４の止着位置を、体型に応じて調整できる。
【００３５】
帯状シート２１，２２は、いずれも、織布により構成されている。織布は、糸状の繊維同士を織り合わせたものであるため、不織布より、洗濯に対して高い耐性を有する。帯状シート２１，２２の織布を構成する繊維は、綿、麻、絹、羊毛等の天然繊維であってもよく、ポリエステル、アクリル、レーヨン等の化学繊維であってもよい。また、天然繊維と化学繊維とを混合したものが、使用されてもよい。
【００３６】
先に述べた通り、帯部材２０は、パッド１０に対して、着脱可能となっている。このため、おむつ１の使用後には、パッド１０と帯部材２０とを分離して、パッド１０のみを廃棄できる。また、帯部材２０の帯状シート２１，２２は、洗濯可能な織布により構成されている。このため、帯部材２０を洗濯し、洗濯後の帯部材２０に、新たなパッド１０を取り付けて、着用できる。
【００３７】
このように、着用者は、帯部材２０を繰り返し使用できる。これにより、着用者の経済的負担が軽減される。また、おむつ全体を使い捨てとする場合に比べて、廃棄されるゴミの量が減少し、資源が有効に利用される。これにより、地球環境にも貢献する。
【００３８】
おむつ１の交換時には、帯部材２０に、特に大きな引張応力が作用する。このため、帯状シート２１，２２を構成する織布には、パッド１０のトップシート１１やバックシート１２より、引張応力に対して破断しにくい素材を使用することが、好ましい。一方、パッド１０に対しては、引張応力に対する強度の要求を、抑えることができる。このため、パッド１０をより薄く設計することも、可能となる。
【００３９】
帯部材２０の２枚の帯状シート２１，２２の間には、幅方向（着用者の腰周りに沿う方向）に伸縮する複数本の弾性部材２５が、設けられている。弾性部材２５は、自然長よりも伸長された状態で、２枚の帯状シート２１，２２の間に取り付けられている。このため、複数本の弾性部材２５は、帯部材２０を幅方向に縮めるように、弾性力を発生させる。おむつ１の着用時には、弾性部材２５の弾性力により、着用者の腰周りに、帯部材２０が優しくフィットする。また、着用者が姿勢を変更するときにも、着用者の動作に帯部材２０が良好に追従する。なお、弾性部材２５には、例えば、天然ゴムやポリウレタンゴムが、使用される。
【００４０】
図２および図３に示すように、弾性部材２５は、後止着部２３より幅方向外側の位置に、設けられている。すなわち、帯部材２０は、後止着部２３より幅方向外側の位置に、弾性部材２５が設けられた一対の伸縮領域２０ｂを有する。また、帯部材２０は、一対の伸縮領域２０ｂの間に、弾性部材２５が設けられていない非伸縮領域２０ｃを有し、当該非伸縮領域２０ｃに、後止着部２３が設けられている。
【００４１】
帯部材２０の伸縮領域２０ｂは、着用者の腰回りのうち、特に曲率の大きい左右の側腰部に、良好にフィットする。一方、帯部材２０の非伸縮領域２０ｃに設けられた後止着部２３には、弾性部材２５の収縮力が作用しない。このため、後止着部２３を、パッド１０の後被止着部１５に対して、良好に着脱できる。
【００４２】
＜２．変形例＞
以上、本発明の一実施形態について説明したが、本発明は上記の実施形態に限定されるものではない。
【００４３】
上記の実施形態では、帯部材２０は、着用者の右腰部に宛われる部位と、着用者の左腰部に宛われる部位と、を含む一体の部材であった。このようにすれば、帯部材２０を、一体の部材として、容易に製造できる。また、後止着部２３および後被止着部１５は、それぞれ一箇所で足りる。しかしながら、帯部材２０は、複数の別体の部材で構成されていてもよい。
【００４４】
例えば、図６のように、帯部材２０が、着用者の右腰部に宛がわれる右帯部材２６と、着用者の左腰部に宛がわれる左帯部材２７とで、構成されていてもよい。このようにすれば、帯部材２０を、全体として狭小化できる。このため、帯部材２０に使用される織布の量を、抑制できる。
【００４５】
また、図７のように、帯部材２０は、後身頃部１０ｂの外側において、股下側へ台形状に突出する凸部２０ｄを有していてもよい。このようにすれば、凸部２０ｄにより、着用者の尻面の、より広い領域を被覆できる。また、おむつ１の形状がパンツに近づくため、外観上の違和感も低減できる。
【００４６】
ただし、図７の例より、上記の実施形態の方が、パッド１０と帯部材２０との重なる面積は、小さい。このため、着用者の肌に対する通気性の面においては、図７の例より、上記の実施形態の方が、好ましい。また、図７の例より、上記の実施形態の方が、帯部材２０自体に体液が付着しにくい。このため、帯部材２０の洗濯回数を低減できる。
【００４７】
また、上記の実施形態では、前被止着部１４、後被止着部１５、前止着部２４、および後止着部２３の例として、面ファスナーを挙げた。面ファスナーを利用すれば、十分な止着強度が得られ、着脱も容易である。しかしながら、これらの止着部および被止着部に、ホックやボタン等の他の着脱可能な止着手段が、使用されてもよい。
【００４８】
また、パッド１０または帯部材２０を構成するシートに対して、直接に止着可能であれば、止着部および被止着部の一方を省略してもよい。例えば、パッド１０のバックシート１２の外側面が、不織布で構成されている場合には、当該不織布に対して、フック材を直接に止着させることが、可能である。このため、図８のように、前被止着部１４および後被止着部１５を設けることなく、前止着部２４および後止着部２３を、バックシート１２の外側面に、直接に止着させるようにしてもよい。このようにすれば、おむつ１の構造を、より簡素化できる。
【００４９】
ただし、上記の実施形態のように、止着力が他の部位より高い前被止着部１４および後被止着部１５を設けておけば、前止着部２４および後止着部２３を、より強固に止着できる点で、好ましい。
【００５０】
また、上記の実施形態では、帯部材２０の中央位置を、パッド１０の後身頃部１０ｂに止着し、帯部材２０の両端部を、パッド１０の前身頃部１０ａに止着していた。このようにすれば、帯部材２０の両端部を、操作しやすい着用者の腹側において、止着させることができる。しかしながら、帯部材２０の中央位置をパッド１０の前身頃部１０ａに止着し、帯部材２０の両端部を、パッド１０の後身頃部１０ｂに止着させるようにしてもよい。
【００５１】
また、上記の実施形態では、帯部材２０の両端部を、いずれも、パッド１０に止着させていた。しかしながら、図９のように、帯部材２０の一方の端部に、他方の端部を止着させるようにしてもよい。図９の例では、帯部材２０の一方の端部が、パッド１０から大きく幅方向外側へ、延設されている。そして、帯部材２０の一方の端部の肌側面に設けられた止着部２８を、他方の端部の外側面に設けられた被止着部２９に、止着させる構造となっている。また、図９の例では、止着部２８の幅方向内側に、前被止着部１４に対して着脱可能に止着する前止着部２４が、設けられている。
【００５２】
また、上記の実施形態では、帯部材２０が、幅方向に延びる略長方形状に形成されていたが、帯部材２０は、予め円環状に形成されていてもよい。ただし、略長方形状の帯部材２０を、着用者の腰周りに巻き付ける方が、より多くの体型に対応できる点で、好ましい。
【００５３】
また、上記の実施形態では、帯部材２０の２枚の帯状シート２１，２２の間に、弾性部材２５が取り付けられていた。しかしながら、弾性部材２５は、帯状シート２１，２２に対して織り込まれていてもよい。また、帯状シート２１，２２自体が、伸縮性を有する織布で構成されていてもよい。また、帯部材２０は、１層のシートで構成されていてもよい。
【００５４】
また、着用者に対するパッド１０のフィット性を向上させるために、パッド１０に弾性部材が設けられていてもよい。また、パッド１０からの尿の漏れを防止するために、パッド１０の肌面側に、起立する一対の撥水性のシート（いわゆる、立体ギャザー）が、設けられていてもよい。
【００５５】
また、おむつ１は、尿だけではなく、軟便や経血等の他の体液を吸収するものであってもよい。また、おむつ１は、成人を対象としたものであってもよく、幼児を対象としたものであってもよい。
【００５６】
また、以上の実施形態や変形例に登場する各要素を、適宜に組み合わせてもよい。
【符号の説明】
【００５７】
１  おむつ
１０  パッド
１０ａ  前身頃部
１０ｂ  後身頃部
１０ｃ  股部
１１  トップシート
１２  バックシート
１３  吸収体
１４  前被止着部
１５  後被止着部
２０  帯部材
２０ａ  つまみ部
２０ｂ  伸縮領域
２０ｃ  非伸縮領域
２０ｄ  凸部
２１，２２  帯状シート
２３  後止着部
２４  前止着部
２５  弾性部材
２６  右帯部材
２７  左帯部材
２８  止着部
２９  被止着部
【図１】
2011172793.tif 000003
【図２】
2011172793.tif 000004
【図３】
2011172793.tif 000005
【図４】
2011172793.tif 000006
【図５】
2011172793.tif 000007
【図６】
2011172793.tif 000008
【図７】
2011172793.tif 000009
【図８】
2011172793.tif 000010
【図９】
2011172793.tif 000011